(57)【要約】【課題】本発明は、簡便で取り扱いの容易な農業用ハウス保温材を連結する連結具、当該連結具を用いた農業用ハウス保温材の連結方法、当該連結具により複数の農業用ハウス保温材を連結してなる連結農業ハウス保温材および当該連結農業用ハウス保温材を農業用ハウスに展張してなる保温性農業用ハウスを提供することを目的とする。【解決手段】布またはフィルム製の筒を当該筒の長さ方向の概中央部分で閉じてなることを特徴とする農業用ハウス保温材の連結具。  【選択図】図２
2017074006.tif 000002
【特許請求の範囲】
【請求項１】
布またはフィルム製の筒が当該筒の長さ方向の概中央部分で閉じられていることを特徴とする農業用ハウス保温材の連結具。
【請求項２】
不織布層を含む単層または複数の層からなる農業用ハウス保温材同士の連結方法であって、
請求項１記載の連結具のそれぞれの穴部に、連結しようとする２つの農業用ハウス保温材をそれぞれの端部が前記連結具の閉じた部分に至るまで差込み、
その差込んだ農業用ハウス保温材と前記連結具とを固定することを特徴とする農業用ハウス保温材の連結方法。
【請求項３】
複数の農業用ハウス保温材を請求項１記載の連結具で連結してなる連結農業用ハウス保温材。
【請求項４】
請求項３記載の連結農業用ハウス保温材を農業用ハウス内部に展張してなる保温性農業用ハウス。
【発明の詳細な説明】
【技術分野】
【０００１】
本発明は、農業用ハウス内部に展張して用いる保温材を連結する連結具および当該連結具を用いた保温材同士の連結方法に関する。
【背景技術】
【０００２】
従来、果物や花卉などの栽培において、促成栽培や防寒、防霜を目的として、ポリ塩化ビニル、ポリエチレン、エチレン−酢酸ビニル共重合体などの被覆材を外側に被覆したいわゆる農業用ハウスを用いた栽培が広く行われている。
これらの農業用ハウスにおいても、初春、晩秋、冬季などの低温期の夜間には、また場合によっては昼間においても気温低下のため、栽培作物への生育遅れ、生育障害を引き起こす。  その対策のため、ストーブ等の暖房器具を用いて保温したり、保温性を備えた内張り材を展張したりすることが行われてきた。
【０００３】
例えば、  特許文献１には、多孔性フィルムと不織布が積層され、フィルム面に滴下した水滴の吸収速度が６０秒以内である農業用保温材が開示され、苺等の農作物に夜露が触れなくすることができるとしている。  特許文献２には、軽量でかつ防風および防水性を有し、冬季の夜間における保温性に優れた農業用被覆シートとして、水流絡合不織布とフィルムとの積層シートが開示されている。
【０００４】
このような保温性を備えた内張り材（農業用ハウス保温材）を、農業用ハウス（温室）内に展張する場合、相当の大きさとなり、厚みもあるため、特に大規模な農業用ハウスでは、その取り扱いが困難となっていた。  また、大規模な温室では一枚の保温材で一つの面をカバーすることは事実上不可能なため、複数の保温材を連結して用いざるを得ないという事情もあった。  さらに、農業用ハウス保温材はその機能上どうしても相当の厚みを有するため、それ同士を重ね合わせて接着するといった方法ではその連結部分がさらに厚みを増し、その困難さが増幅されるといった問題もあった。
【先行技術文献】
【特許文献】
【０００５】
【特許文献１】特開平９−３００５１１号公報
【特許文献２】特開２００８−１６７７１１号公報
【発明の概要】
【発明が解決しようとする課題】
【０００６】
従って、本発明は、簡便で取り扱いの容易な農業用ハウス保温材を連結する連結具、当該連結具を用いた農業用ハウス保温材の連結方法、当該連結具により複数の農業用ハウス保温材を連結してなる連結農業用ハウス保温材および当該連結農業用ハウス保温材を農業用ハウス内側に展張してなる保温性農業用ハウスを提供することを目的とする。  
【課題を解決するための手段】
【０００７】
本発明者は、農業用ハウス保温材の連結具として、布またはフィルムといった厚みの殆どない材料から作製されたものを用い、連結しようとする２つの農業用ハウス保温材の端部同士を重ねることなくつき合わせて固定することによって前記課題を解決できることを見出し、本発明を完成した。
【０００８】
すなわち、本発明は、
（１）  布またはフィルム製の筒が当該筒の長さ方向の概中央部分で閉じられていることを特徴とする農業用ハウス保温材の連結具、
（２）  不織布層を含む単層または複数の層からなる農業用ハウス保温材同士の連結方法であって、
（１）記載の連結具のそれぞれの穴部に、連結しようとする２つの農業用ハウス保温材をそれぞれの端部が前記連結具の閉じた部分に至るまで差込み、
その差込んだ農業用ハウス保温材と前記連結具とを固定することを特徴とする農業用ハウス保温材の連結方法、
（３）  複数の農業用ハウス保温材を（１）記載の連結具を用いて連結してなる連結農業用ハウス保温材、
（４）  （３）記載の連結農業用ハウス保温材を農業用ハウス内部に展張してなる保温性農業用ハウス、
である。
【発明の効果】
【０００９】
本発明の連結具は、布またはフィルム製の筒の概中央部を閉じただけの構造であるため簡単に作製できるばかりでなく、厚みのある農業用ハウス保温材同士を重ねて連結するのではなく、その端部同士をつき合わせて厚みが小さく柔軟性のある布またはフィルムで固定するので、その連結された保温材は殆ど凸凹がなく平らとなり、丸めたり折り畳んだり等の収納および展張が容易となる。
また、農業ハウス保温材同士の連結作業は、連結具の左右の穴部分に各保温材の端部を双方の保温材がつき合うまで差込み、縫製、接着等の方法により固定するだけで、容易に実施できる。
【図面の簡単な説明】
【００１０】
【図１】本発明の連結具の一例（斜視図）である。
【図２】本発明の農業用ハウス保温材を連結した構成の一例（平面図）である。
【発明を実施するための形態】
【００１１】
以下、本発明の実施形態について説明する。  なお、本実施形態は、本発明を実施するための一形態に過ぎず、本発明は本実施形態によって限定されるものではなく、本発明の要旨を逸脱しない範囲で種々の変更実施の形態が可能である。
【００１２】
本発明の農業用ハウス保温材の連結具は、布またはフィルム製の筒が当該筒の長さ方向の概中央部分で閉じられていることを特徴とする。
【００１３】
本発明において農業用ハウス保温材とは、農業用ハウスの内側、場合によっては外側に展張して用いる保温材であって、ある程度の厚みを有して保温効果を発現するものをいい、フィルム、シート、綿、布または不織布を含む層の少なくとも１層からなる。
【００１４】
本発明の連結具に使用する布またはフィルムは、ある程度の耐久性および折り曲げ性があり、縫製、接着等が可能なものであれば選ぶものではないが、厚みのあるものは保温材の連結部が厚みをもってしまうため、収納または展張の取り扱いに問題が生じることがある。
【００１５】
本発明の連結具は、図１に示されているように、筒状の布またはフィルムの長さ方向の概中央部を縫製、接着等により閉じ合わせることによって作製される。  ここで、前記の筒状の布やフィルムは、最初から筒状になるように作製してもよいが、長方形の一枚の布またはフィルムからその平行な辺同士を閉じ合わせても作製できる。
【００１６】
本発明の連結具は、農業用ハウス保温材同士を連結するために用いられる。
具体的には、農業用ハウス保温材の一方を連結具の一方の穴部に連結具の閉じられたところまで差込み、同様に他方の保温材を連結具の他方の穴部から連結具の閉じられたところまで差込むことによって保温材同士が連結具の閉じた部分で合わさった状態とし、その後、保温材と連結具が離れないように固定する。  連結具と保温材とを固定する方法としては、縫製、接着、ステイプラーを用いた方法などが挙げられるがこれらに限定されるものではない。  また、連結具と保温材とを固定する部分は保温材を差込んだ両側のみでも十分であり、この程度の作業は現場でも行える程度の簡単な作業である。  なお、当然、連結具の穴の大きさは差込む保温材にフィットする大きさであることが好ましい。  
【００１７】
さらに、本発明の連結具を用いて複数の保温材を連結し、農業用ハウス内側へ展張することによって、保温性農業用ハウスを作製できる。    
【符号の説明】
【００１８】
１    連結具
２    閉部
３    穴部
４    保温材
【図１】
2017074006.tif 000003
【図２】
2017074006.tif 000004